【事件の表示】
　特願２０１０−１４９６４１「触感呈示装置および触感呈示装置の制御方法」拒絶査定不服審判事件〔平成２４年　１月１９日出願公開、特開２０１２−　１４３７５〕について、次のとおり審決する。
【結　論】
　本件審判の請求は、成り立たない。
【理　由】
１．手続の経緯・本願発明 
　本願は、平成２２年６月３０日を出願日とする出願であって、その特許請求の範囲の請求項１に記載された発明（以下、「本願発明」と呼ぶ。）は、平成２５年１２月２日付けの手続補正書により補正された特許請求の範囲の請求項１に記載された次のとおりのものである。 
 「【請求項１】
　タッチセンサと、
　前記タッチセンサのタッチ面に対する押圧荷重を検出する荷重検出部と、
　前記タッチ面を振動させる触感呈示部と、
　ボタンが押し下がった触感を呈示するように前記触感呈示部を駆動する駆動信号情報を記憶する記憶部と、
　前記荷重検出部により検出される押圧荷重が触感を呈示する基準を満たした際に、前記記憶部から前記ボタンが押し下がった触感を呈示するように前記触感呈示部を駆動する駆動信号情報を読み出して、該駆動信号情報に基づいて前記タッチ面を押圧している押圧対象に対してボタンが押し下がった触感を呈示するように前記触感呈示部の駆動を制御する制御部と、
　を備えることを特徴とする触感呈示装置。」 
 　 
２．引用例  
　原査定の拒絶の理由に引用された、特開２００５−３３２０６３号公報（以下、「引用例」という。）には、次の記載がある。 
 　 
「【０００１】
  本発明は、表示画面上の入力検出面を摺動接触操作して情報を入力するデジタルカメラや、情報処理装置、携帯電話機、情報携帯端末装置等に適用して好適な触覚機能付き入力装置、情報入力方法及び電子機器に関する。詳しくは、表示画面上の入力検出面における操作体の押下操作に対して触覚を与える場合に、その入力検出面における操作体の押下位置の加圧力に対応した振動パターンに基づいて当該入力検出面を振動する振動手段を備え、操作体となる操作者の指等による押下操作に対応した振動パターン（振幅と周波数と振動回数）により複数種類の振動を発生できるようにしたものである。
・・・（中略）・・・
【０００９】
  ii．また、各種方式のタッチパネルと表示部とを合わせた入力機能付きの携帯端末装置によれば、表示部でボタンアイコンを選択した際に、その選択と同期した触覚を操作者に与えることができていない。しかも、Ｚ方向への加圧力に応じた複数の入力情報内容を設定していないので、単一の入力情報内容及び単一の触覚を与えることしかできない。
【００１０】
  因みに、アイコン画面上に表示されたボタンアイコンを押圧決定する場合を想定すると、実際のキーボード等の入力装置のクリック特性によれば、キーの押し込みストロークに関して、各々反力が設定されている。この種の入力装置では、あるキーのストロークにおいて、一定のクリック感（反力）を返すような仕組みになっている。また、機械式のボタンスイッチ（アナログスイッチ）によれば、一定のストローク、例えば、３ｍｍのストロークに相当する加圧力でクリック感を返すようになされる。
・・・（中略）・・・
【発明を実施するための最良の形態】
【００２７】
  続いて、この発明に係る触覚機能付き入力装置、情報入力方法及び電子機器の一実施例について、図面を参照しながら説明をする。
【実施例１】
【００２８】
  図１は、本発明に係る第１の実施例としての触覚入力機能付き携帯電話機１００の構成例を示す斜視図である。
  この実施例では、表示手段上の入力検出面において、操作体が押下した位置の加圧力に対応した振動パターンに基づいて当該入力検出面を振動する振動手段を備え、その入力検出面における操作体の押下操作に対して触覚を付与できるようにすると共に、表示手段に表示されたボタンアイコン等の入力を確定できるようにしたものである。
【００２９】
  図１に示す携帯電話機１００は電子機器の一例であり、表示画面上の入力検出面を摺動接触操作される触覚機能付きの入力装置９０を有している。携帯電話機１００は下部筐体１０及び上部筐体２０を備え、これらの筐体１０及び２０間は、回転レンジ機構１１によって可動自在に係合されている。この回転レンジ機構によれば、下部筐体１０の操作面の一端に設けられた図示しない軸部と、下部筐体１０の裏面の一端に設けられた図示しない軸受け部とが回転自在に係合され、上部筐体２０は下部筐体１０に対して角度±１８０°の回転自由度を有して面結合されている。
【００３０】
  下部筐体１０には、複数の押しボタンスイッチ１２から成る操作パネル１８が設けられる。押しボタンスイッチ１２は、「０」〜「９」数字キー、「＊」や「＃」等の記号キー、「オン」や「オフ」等のフックボタン、メニューキー等から構成される。下部筐体１０において、操作パネル面の下方には、通話用のマイクロフォン１３が取り付けられ、送話器として機能するようになされる。
【００３１】
  また、下部筐体１０の下端部には、モジュール型のアンテナ１６が取り付けられ、その上端内部側面には、大音響用のスピーカー３６ａが設けられ、着信メロディ等を放音するようになされる。下部筐体１０には、バッテリー１６や回路基板１７等が設けられ、下部筐体１０の裏面にはカメラ３４が取り付けられている。
【００３２】
  上述の下部筐体１０に対して、回転レンジ機構１１によって可動自在に係合された上部筐体２０には、その表面の上方に通話用のスピーカー３６ｂが取り付けられ、受話器として機能するようになされる。上部筐体２０のスピーカー取り付け面の下方には、触覚機能付き入力装置９０が設けられる。入力装置９０は、入力検出手段４５及び表示手段２９を有しており、表示画面上の入力検出面における操作体の押下操作に対して触覚を与えるものである。表示手段２９には、複数のボタンアイコン等の入力情報が表示される。
【００３３】
  図２は、触覚機能付きの入力装置９０の構成例を示す斜視図である。図２に示す入力装置９０は、長さがＬｃｍ程度で、幅がＷｃｍ程度の入力手段２４と、この下方に、入力手段２４よりも一回り小さな液晶表示ディスプレイから成る表示手段２９とが積層され、更に、表示手段２９の周囲には、例えば、４個の力検出手段５５ａ〜５５ｄが取り付けられて構成され、当該入力検出面における操作体の押下位置の加圧力を検出すると共に、当該押下位置に表示された入力情報を入力する。
【００３４】
  入力検出手段４５は、入力手段２４及び４個の力検出手段５５ａ〜５５ｄから構成される。この例では、入力検出手段４５の入力検出面の一方をＸ方向とし、当該Ｘ方向と直交する他方をＹ方向とし、Ｘ及びＹ方向と直交する方向をＺ方向とする。入力手段２４はボタンアイコンの選択位置を検出するようになされる。入力手段２４には蓄積電極となる透明電極をマトリクス状に配置したタッチパネルが使用される。タッチパネルは、静電容量シートとしての静電容量方式の入力デバイスである。入力手段２４から得られる入力情報には位置情報が含まれる。位置情報はボタンアイコン押下時の位置検出信号Ｓ１により得られる。
【００３５】
  力検出手段５５ａ〜５５ｄは、表示手段２９の同一平面の四隅に設けられ、当該入力検出面における操作体の押下位置の加圧力Ｆを検出する。力検出手段５５ａは、例えば、右下隅の入力量（力）として、例えば、当該アイコン選択時の力検出信号Ｓｆａを検出する。同様にして、力検出手段５５ｂは、右上隅の入力量（力）として、当該アイコン選択時の力検出信号Ｓｆｂを検出し、力検出手段５５ｃは、左上隅の入力量（力）として、当該アイコン選択時の力検出信号Ｓｆｃを検出し、力検出手段５５ｄは、左下隅の入力量（力）として、当該アイコン選択時の力検出信号Ｓｆｄを各々検出する。これら４個の力検出手段５５ａ〜５５ｄは、並列に接続され、これら４つの力検出信号Ｓｆａ＋Ｓｆｂ＋Ｓｆｃ＋Ｓｆｄを制御手段１５に出力する。以下、この合算した信号を入力検出信号Ｓ２とする。
【００３６】
  表示手段２９の周囲には、力検出手段５５ａ〜５５ｄの他に振動手段の一例となる４個のアクチュエータ２５ａ〜２５ｄが取り付けられ、表示手段２９に表示されるボタンアイコンの選択操作に基づいて表示画面を振動するようになされる。アクチュエータ２５ａ〜２５ｄは圧電素子から構成される。アクチュエータ２５ａには制御手段１５から振動制御信号Ｓａが供給される。アクチュエータ２５ｂには同様にして振動制御信号Ｓｂが供給され、アクチュエータ２５ｃには振動制御信号Ｓｃが供給され、アクチュエータ２５ｄには振動制御信号Ｓｄが各々供給される。振動制御信号Ｓａ〜Ｓｄは、複数の振動パターンを発生するための信号である。
【００３７】
  アクチュエータ２５ａ〜２５ｄは、力検出手段５５ａ〜５５ｄによって検出された操作体の加圧力Ｆに対応する振動パターンに基づいて入力検出面を振動する。この例で、アクチュエータ２５ａ〜２５ｄは、予め準備された加圧力Ｆに対応する振動パターンにより異なった触覚を与えるようになされる。
【００３８】
  上述の入力手段２４、表示手段２９、４個のアクチュエータ２５ａ〜２５ｄ及び力検出手段５５ａ〜５５ｄには制御手段１５が接続される。制御手段１５には記憶手段３５が接続され、入力項目選択用の表示画面を、例えば、３次元的に表示するための表示データＤ４や、当該表示データＤ４に対応したアイコンの選択位置及び振動モードに関する制御情報Ｄｃ等が表示画面毎に記憶される。
【００３９】
  制御情報Ｄｃには、表示手段２９におけるアプリケーション（３次元的な表示や、各種表示内容）に同期した複数の異なった触覚を発生でき、その触覚を発生せしめる複数の具体的な振動波形、及び、アプリケーション毎の具体的な触覚発生モードを設定するアルゴリズムが含まれる。記憶手段３５には、ＥＥＰＲＯＭや、ＲＯＭ、ＲＡＭ等が使用される。
【００４０】
  この例で制御手段１５は、入力手段２４から出力される位置情報に基づいて表示手段２９の表示制御及びアクチュエータ２５ａ〜２５ｄの出力制御をする。例えば、制御手段１５は、入力手段２４から得られる位置検出信号Ｓ１及び力検出手段５５ａ〜５５ｄから得られる入力検出信号Ｓ２に基づいて記憶手段３５から制御情報Ｄｃを読み出してアクチュエータ２５ａ〜２５ｄに振動制御信号Ｓａ〜Ｓｄを供給する。
【００４１】
  また、制御手段１５は、表示画面中のボタンアイコンを奥行方向に遠近感を有して３次元的に表示するように表示手段２９を表示制御する。このように構成された入力装置９０は、例えば、入力項目選択用の表示画面に表示された複数のボタンアイコンの１つを押下（接触）して当該表示画面上で入力手段２４をＺ方向に押下すると触覚を伴って画面入力操作されるものである。
・・・（中略）・・・
【００６５】
  図７Ａ及びＢは、触覚Ａ及びＢに係る振動パターン例を示す波形図である。図７Ａ及びＢにおいて、いずれも横軸は、時間ｔである。縦軸は振動制御信号Ｓａ〜Ｓｄ等の電圧（振幅Ａｘ）［Ｖ］である。この例では、ボタンアイコン２９ａ等において、それを押し込む時は触覚Ａを与え、それを離す時は触覚Ｂを与える場合を前提とする。
【００６６】
  図７Ａに示す第１の振動パターンＰａは触覚Ａを与える波形である。その触覚Ａの駆動条件ａは、ボタンアイコン２９ａ等が押し込まれたとき、押下判定閾値Ｆthと加圧力Ｆとの関係がＦth＜Ｆとなる場合であって、第１段階ｉで約０．１秒間、周波数ｆｘ＝５０Ｈｚ、振幅Ａｘ＝５μｍ、回数Ｎｘ＝２回の振動パターンで振動する。以下［ｆｘ  Ａｘ  Ｎｘ］＝［５０  ５  ２］と表記する。同様にして、第２段階iiでは、約０．１秒間、［ｆｘ  Ａｘ  Ｎｘ］＝［１００  １０  ２］の振動パターンで振動するようになされる。
【００６７】
  図７Ｂに示す第２の振動パターンＰｂは触覚Ｂを与える波形である。その触覚Ｂの駆動条件ｂは、ボタンアイコン２９ａ等が押し込まれた後に、そのボタンアイコン２９ａが放されたとき、押下判定閾値Ｆthと加圧力Ｆとの関係がＦth＞Ｆとなる場合であって、第１段階ｉで約０．１秒間、［ｆｘ  Ａｘ  Ｎｘ］＝［８０  ８  ２］で振動し、同様にして、第２段階iiでは、約０．１秒間、［ｆｘ  Ａｘ  Ｎｘ］＝［４０  ８  ２］の振動パターンで振動する。このような振動パターンに基づいて入力検出面を振動すると、サイバースイッチ等の触覚を得ることができる。
【００６８】
  図８Ａ及びＢは、加圧力Ｆと振動パターンとの関係例（その１）を示す図である。図８Ａにおいて、縦軸は加圧力Ｆであり、入力検出信号Ｓ２（二値化後は入力検出情報Ｄ２）から得られる。図８Ｂにおいて、縦軸は振動制御信号Ｓａ等の電圧（振幅）である。図８Ａ及びＢにおいて、横軸はいずれも時間ｔである。
【００６９】
  一般に、ボタンスイッチ操作等において、入力モーションピークが存在する。設計通りの押下速度（操作入力速度）である場合、その加圧力Ｆは３０［ｇｆ］乃至２４０［ｇｆ］程度であることが知られている。図８Ａに示す加圧力分布波形Ｉは、入力装置設計時に基準とした、Ｚ方向への押下速度による加圧力Ｆを反映したものである。
【００７０】
  この例で入力検出手段４５から得られる入力検出信号Ｓ２に対して予め押下判定閾値Ｆthが設定され、ＣＰＵ３２は、入力検出信号Ｓ２の立ち上がり波形が押下判定閾値Ｆthを横切る時刻ｔ１１に第１の振動パターンＰａを発生し、入力検出信号Ｓ２の立ち下がり波形が押下判定閾値Ｆthを横切る時刻ｔ２１に第２の振動パターンＰｂを発生するようにアクチュエータ振動回路３７を制御する。
【００７１】
  このようにすると、入力検出手段４５が入力装置設計時に基準とした加圧力Ｆを検出し、ＣＰＵ３２等が押下判定閾値Ｆth＜加圧力Ｆを検出したとき、触覚Ａを起動することができ、押下判定閾値Ｆth＞加圧力Ｆを検出したとき、触覚Ｂを起動することができる。なお、振動パターンＰａと振動パターンＰｂとの間には、無振動の空白期間Ｔｘ＝Ｔ１が設けられる。この空白期間Ｔｘは、Ｚ方向への押圧速度に応じて可変するようになされる。
【００７２】
  図９Ａ及びＢは、加圧力Ｆと振動パターンとの関係例（その２）を示す図である。図９Ａにおいて、縦軸は加圧力Ｆであり、入力検出信号Ｓ２（二値化後は入力検出情報Ｄ２）から得られる。図９Ｂにおいて、縦軸は振動制御信号Ｓａ等の電圧（振幅）である。図９Ａ及びＢにおいて、横軸はいずれも時間ｔである。
【００７３】
  図９Ａに示す加圧力分布波形IIは、図８Ａに示した基準押下速度よりも早くボタンアイコン等を押下した場合の加圧力Ｆを反映したものである。この例でも、図８Ａと同様にして、入力検出手段４５から得られる入力検出信号Ｓ２に対して予め押下判定閾値Ｆthが設定され、ＣＰＵ３２は、入力検出信号Ｓ２の立ち上がり波形が押下判定閾値Ｆthを横切る時刻ｔ１２に振動パターンＰａを発生し、入力検出信号Ｓ２の立ち下がり波形が押下判定閾値Ｆthを横切る時刻ｔ２２に振動パターンＰｂを発生するようにアクチュエータ振動回路３７を制御する。
【００７４】
  このようにすると、入力検出手段４５が基準押下速度よりも早くボタンアイコン等が押下された場合の加圧力Ｆを検出し、ＣＰＵ３２等が押下判定閾値Ｆth＜加圧力Ｆを検出したとき、触覚Ａを起動することができる。また、ＣＰＵ３２等が押下判定閾値Ｆth＞加圧力Ｆを検出したとき、触覚Ｂを起動することができる。なお、振動パターンＰａと振動パターンＰｂとの間には、無振動の空白期間Ｔｘ＝Ｔ２（Ｔ２＜Ｔ１）が設けられる。
【００７５】
  このように、設計時の押下速度よりも早い押下速度である場合であっても、前半で触覚Ａが伝わり、クリック感のある荷重に到達させることができ、その後半で、触覚Ｂが伝わり、クリック感のあるストロークに到達させることができる。この例で押下判定閾値Ｆth＝１００［ｇｆ］を設定すると、クラシックスイッチの触覚を得ることができる。
・・・（中略）・・・
【００９２】
  このように、第１の実施例としての触覚機能付き入力装置を応用した携帯電話機及び情報入力方法によれば、本発明に係る触覚機能付き入力装置９０が応用され、表示手段２９上の入力検出面における操作者の指３０ａの押下操作に対して触覚を与える場合に、入力検出手段４５を構成する力検出手段５５ａ〜５５ｄは、当該入力検出面における操作者の
指３０ａの押下位置の加圧力Ｆを検出し、入力手段２４は、当該押下位置に表示された入力情報を入力する。アクチュエータ２５ａ〜２５ｄは、力検出手段５５ａ〜５５ｄによって検出された操作者の指３０ａの加圧力Ｆに対応する振動パターンに基づいて入力検出面を振動するようになされる。
【００９３】
  従って、操作者の指３０ａ等による押下操作に対応した振動パターン（振幅と周波数と振動回数）により複数種類の振動を発生させることができる。これにより、表示手段２９上の入力検出面における操作者の指３０ａの押下操作に対応した、アナログスイッチや、サイバースイッチ等の触覚を取得できるようになる。」 　
　ここで、上記記載事項を引用例の関連図面を含むその他の箇所の記載と技術常識に照らせば、以下のことがいえる。 
ア．段落【００３４】等の記載によれば、図２に示される「触覚機能付きの入力装置９０」は、「タッチパネルが使用される入力手段２４」を有しており、該「入力手段２４」は、ボタンアイコンの選択位置を検出している。
イ．段落【００３５】等の記載によれば、上記「触覚機能付きの入力装置９０」は、「入力手段２４の入力検出面に対する加圧力Ｆを検出する力検出手段５５ａ〜５５ｄ」も有している。
ウ．段落【００３６】、【００３２】等の記載によれば、上記「触覚機能付きの入力装置９０」は、「入力検出面を振動させるアクチュエータ２５ａ〜２５ｄ」も有している。
エ．段落【００６９】の「一般に、
ボタンスイッチ
振動パターンＰａと振動パターンＰｂとの間には、無振動の空白期間Ｔｘ＝Ｔ１が設けられる
前半で触覚Ａが伝わり、クリック感のある荷重に到達させることができ
　また、段落【００３７】〜【００３８】、【００６５】等の記載によれば、上記「触覚機能付きの入力装置９０」は、「感覚Ａを与えるように前記アクチュエータ２５ａ〜２５ｄを駆動する制御情報Ｄｃを記憶する記憶手段３５」も有している。
　したがって、上記「触覚機能付きの入力装置９０」は、「ボタンスイッチが押下された触覚を与えるように前記アクチュエータ２５ａ〜２５ｄを駆動する制御情報Ｄｃを記憶する記憶手段３５」も有しているということができる。
オ．段落【００４０】、【００６６】、【００７３】〜【００７４】等の記載によれば、上記「触覚機能付きの入力装置９０」は、「力検出手段５５ａ〜５５ｄにより検出される加圧力Ｆが押下判定閾値Ｆth＞Ｆとなる場合に、記憶手段３５から触覚Ａを与えるようにアクチュエータ２５ａ〜２５ｄを駆動する制御情報Ｄｃを読み出して、該制御情報Ｄｃに基づいて入力検出面を押圧している操作体に対して触覚Ａを与えるようにアクチュエータ２５ａ〜２５ｄの駆動を制御するＣＰＵ３２」も有しており、該「触覚Ａ」は、上記エ．で述べたように、「ボタンスイッチが押下された触覚」ともいうことができる。
　したがって、上記「触覚機能付きの入力装置９０」は、「力検出手段５５ａ〜５５ｄにより検出される加圧力Ｆが押下判定閾値Ｆth＞Ｆとなる場合に、記憶手段３５からボタンスイッチが押下された触覚を与えるようにアクチュエータ２５ａ〜２５ｄを駆動する制御情報Ｄｃを読み出して、該制御情報Ｄｃに基づいて入力検出面を押圧している操作体に対してボタンスイッチが押下された触覚を与えるようにアクチュエータ２５ａ〜２５ｄの駆動を制御するＣＰＵ３２」も有しているということができる。
 　 
　以上によれば、引用例には、次の発明（以下、「引用例記載発明」という。）が記載されているといえる。 
 「タッチパネルが使用される入力手段２４と、
　前記入力手段２４の入力検出面に対する加圧力Ｆを検出する力検出手段５５ａ〜５５ｄと、
　前記入力検出面を振動させるアクチュエータ２５ａ〜２５ｄと、
　ボタンスイッチが押下された触覚を与えるように前記アクチュエータ２５ａ〜２５ｄを駆動する制御情報Ｄｃを記憶する記憶手段３５と、
　前記力検出手段５５ａ〜５５ｄにより検出される加圧力Ｆが押下判定閾値Ｆth＞Ｆとなる場合に、前記記憶手段３５から前記ボタンスイッチが押下された触覚を与えるように前記アクチュエータ２５ａ〜２５ｄを駆動する制御情報Ｄｃを読み出して、該制御情報Ｄｃに基づいて前記入力検出面を押圧している操作体に対してボタンスイッチが押下された触覚を与えるように前記アクチュエータ２５ａ〜２５ｄの駆動を制御するＣＰＵ３２と、
　を備える触覚機能付きの入力装置９０。」 
 　 
３．対比・判断 
　本願発明と引用例記載発明を対比すると、以下のことがいえる。
ア．引用例記載発明の「タッチパネルが使用される入力手段２４」は、本願発明でいう「タッチセンサ」の一種である。
イ．引用例記載発明の「入力検出面」は、本願発明の「タッチ面」に相当する。
ウ．引用例記載発明の「加圧力Ｆ」は、本願発明の「押圧荷重」に相当する。
エ．引用例記載発明の「力検出手段５５ａ〜５５ｄ」は、本願発明の「荷重検出部」に相当する。
オ．引用例記載発明の「アクチュエータ２５ａ〜２５ｄ」は、本願発明の「触感提示部」に相当する。
カ．引用例記載発明の「ボタンスイッチが押下された触覚を与えるように」は、本願発明の「ボタンが押し下がった触感を提示するように」に相当する。
キ．引用例記載発明の「制御情報Ｄｃ」は、本願発明の「駆動信号情報」に相当する。
ク．引用例記載発明の「記憶手段３５」は、本願発明の「記憶部」に相当する。
ケ．引用例記載発明の「押下判定閾値Ｆth＞Ｆとなる場合」は、本願発明の「触感を呈示する基準を満たした際」の一例である。
コ．引用例記載発明の「操作体」は、本願発明の「押圧対象」に相当する。
サ．引用例記載発明の「ＣＰＵ３２」は、本願発明の「制御部」に相当する。
シ．引用例記載発明の「触覚機能付きの入力装置９０」は、本願発明でいう「触感提示装置」ということができる。
　したがって、本願発明と引用例記載発明とは、
「　タッチセンサと、
　前記タッチセンサのタッチ面に対する押圧荷重を検出する荷重検出部と、
　前記タッチ面を振動させる触感呈示部と、
　ボタンが押し下がった触感を呈示するように前記触感呈示部を駆動する駆動信号情報を記憶する記憶部と、
　前記荷重検出部により検出される押圧荷重が触感を呈示する基準を満たした際に、前記記憶部から前記ボタンが押し下がった触感を呈示するように前記触感呈示部を駆動する駆動信号情報を読み出して、該駆動信号情報に基づいて前記タッチ面を押圧している押圧対象に対してボタンが押し下がった触感を呈示するように前記触感呈示部の駆動を制御する制御部と、
　を備えることを特徴とする触感呈示装置。」
である点で一致し、両者の間に相違点は存在しない。 　
 　 
４．まとめ 
　よって、本願発明は、引用例に記載された発明である。 
 　 
５．むすび  
　以上のとおり、本願発明は、引用例に記載された発明であるから、特許法第２９条第１項第３号の規定により特許を受けることができない。 
　したがって、本願は、他の請求項について検討するまでもなく、拒絶されるべきものである。  
　よって、結論のとおり審決する。